(57)【要約】【課題】吊下げ姿勢で上方となる一方向に折畳んだ折畳み姿勢における高い収納性は確保しながらも、折畳み姿勢から拡張姿勢への変更操作を行い易くすることのできる物干し器を提供する。【解決手段】被吊下部に対するフック部が備えられている物干し枠体２が、フック部を被吊下部に吊下げた吊下げ姿勢で上方となる一方向に折畳み操作自在に枢支連結された複数の分割枠体３Ａ、３Ｂから構成されているとともに、分割枠体３Ａ、３Ｂの各々には、被干し物を吊下げ支持可能な複数の吊下げ体１６が重力任せの動きが可能な状態で掛止されている物干し器であって、物干し枠体３Ａ、３Ｂの折畳み姿勢において相互の分割枠体３Ａ、３Ｂの吊下げ体１６どうしが絡むのを抑止するように、吊下げ体１６の折畳み操作方向への可動範囲を所定範囲に制限する可動範囲制限手段１７が設けられている。【選択図】図９
2010035868.tif 000002
【特許請求の範囲】
【請求項１】
被吊下部に対するフック部が備えられている物干し枠体が、フック部を被吊下部に吊下げた吊下げ姿勢で上方となる一方向に折畳み操作自在に枢支連結された複数の分割枠体から構成されているとともに、前記分割枠体の各々には、被干し物を吊下げ支持可能な複数の吊下げ体が重力任せの動きが可能な状態で掛止されている物干し器であって、
前記物干し枠体の折畳み姿勢において相互の前記分割枠体の前記吊下げ体どうしが絡むのを抑止するように、前記吊下げ体の折畳み操作方向への可動範囲を所定範囲に制限する可動範囲制限手段が設けられている物干し器。
【請求項２】
前記可動範囲制限手段を構成するのに、
前記分割枠体と前記吊下げ体の少なくとも一方には、前記分割枠体との掛止部位を支点とする吊下げ体の折畳み操作方向への回動を所定限度で接当規制する接当規制部が一体形成されている請求項１記載の物干し器。
【請求項３】
前記分割枠体には、前記吊下げ体用の被掛止孔が形成され、
前記吊下げ体の一端部には、前記分割枠体の前記被掛止孔に対する挿通状態で分割枠体に掛止する環状又は部分環状の掛止部が形成されているとともに、
前記接当規制部が、前記分割枠体との掛止部位を支点として前記吊下げ体が折畳み操作方向の所定限度まで回動したときに前記分割枠体の前記被係止孔の周縁部に接当して吊下げ体の更なる回動を規制するように、吊下げ体の掛止部の外面に突出形成された突片部から構成されている請求項２記載の物干し器。
【請求項４】
物干し枠体に形成された被掛止孔に対する挿通状態において重力任せの動きが可能な状態で物干し枠体に掛止可能な環状又は部分環状の枠体掛止部と、被干し物を吊下げ支持可能な吊下げ支持部とが備えられている物干し器用の被干し物吊下げ部材であって、
前記枠体掛止部の外面には、前記物干し枠体との掛止部位を支点とする一方向への回動を前記物干し枠体との接当により所定限度に規制可能な突片部が形成されている物干し器用の被干し物吊下げ部材。
【発明の詳細な説明】
【技術分野】
【０００１】
本発明は、屋外や屋内において被干し物（例えば、洗濯物など）を干すために使用される物干し器、及び、物干し器用の被干し物吊下げ部材に関する。
【背景技術】
【０００２】
従来、この種の物干し器としては、被吊下部（例えば、物干し竿等）に対するフック部が備えられている矩形状等の物干し枠体が、フック部を被吊下部に吊下げた吊下げ姿勢で上方となる一方向に折畳み操作自在に枢支連結された一対の分割枠体から構成されているともに、分割枠体の各々には、被干し物をピンチ等で吊下げ支持可能な複数の吊下げ体が重力任せで吊下げ姿勢において少なくとも上方から下方に亘る１８０度以上の角度範囲の回動が可能な状態で掛止されたものがある。
【０００３】
当該物干し器は、物干し枠体を折畳み操作した折畳み姿勢において、フック部を分割枠体どうしの間に格納することができるため、非常に収納性がよい。
【発明の開示】
【発明が解決しようとする課題】
【０００４】
ところが、上記従来の物干し器では、物干し枠体を折畳み操作した折畳み姿勢において一方の分割枠体の吊下げ体が重力等で折畳み操作方向に沿って他方の分割枠体の側に回動し、そのことで、相互の前記分割枠体の前記吊下げ体どうしが絡み合って、折畳み姿勢から両分割枠体を開いた拡張姿勢への変更操作が行い難くなる問題があった。
【０００５】
本発明は、上述の実情に鑑みて為されたものであって、その主たる課題は、吊下げ姿勢で上方となる一方向に折畳んだ折畳み姿勢における高い収納性は確保しながらも、折畳み姿勢から拡張姿勢への変更操作を行い易くすることのできる物干し器及び物干し器用被干し物吊下げ部材を提供する点にある。
【課題を解決するための手段】
【０００６】
本発明の第１特徴構成は、物干し器に係り、その特徴は、
被吊下部に対するフック部が備えられている物干し枠体が、フック部を被吊下部に吊下げた吊下げ姿勢で上方となる一方向に折畳み操作自在に枢支連結された複数の分割枠体から構成されているとともに、前記分割枠体の各々には、被干し物を吊下げ支持可能な複数の吊下げ体が重力任せの動きが可能な状態で掛止されている物干し器であって、
前記物干し枠体の折畳み姿勢において相互の前記分割枠体の前記吊下げ体どうしが絡むのを抑止するように、前記吊下げ体の折畳み操作方向への可動範囲を所定範囲に制限する可動範囲制限手段が設けられている点にある。
【０００７】
上記構成によれば、前記可動範囲制限手段によって物干し枠体の折畳み姿勢において一方の分割枠体の吊下げ体が重力等で折畳み操作方向に沿って他方の分割枠体の側に動くのを所定限度に留める形態で相互の分割枠体の吊下げ体どうしが絡むのを効率的に抑止することができる。
【０００８】
したがって、吊下げ姿勢で上方となる一方向に折畳んだ折畳み姿勢における高い収納性は確保しながらも、折畳み姿勢から拡張姿勢への変更操作を効果的に行い易くすることができる。
【０００９】
本発明の第２特徴構成は、第１特徴構成の実施に好適な構成であり、その特徴は、
前記可動範囲制限手段を構成するのに、
前記分割枠体と前記吊下げ体の少なくとも一方には、前記分割枠体との掛止部位を支点とする吊下げ体の折畳み操作方向への回動を所定限度で接当規制する接当規制部が一体形成されている点にある。
【００１０】
上記構成によれば、簡素且つ生産性の高い構造でもって前記可動範囲制限手段を構成することができるから、相互の分割枠体の吊下げ体どうしが絡むのを一層効率的に抑止することができる。
【００１１】
本発明の第３特徴構成は、第２特徴構成の実施に好適な構成であり、その特徴は、
前記分割枠体には、前記吊下げ体用の被掛止孔が形成され、
前記吊下げ体の一端部には、前記分割枠体の前記被掛止孔に対する挿通状態で分割枠体に掛止する環状又は部分環状の掛止部が形成されているとともに、
前記接当規制部が、前記分割枠体との掛止部位を支点として前記吊下げ体が折畳み操作方向の所定限度まで回動したときに前記分割枠体の前記被係止孔の周縁部に接当して吊下げ体の更なる回動を規制するように、吊下げ体の掛止部の外面に突出形成された突片部から構成されている点にある。
【００１２】
上記構成によれば、分割枠体の構造はそのままに吊下げ体の掛止部の外面に突片部を突出形成するだけの簡単な構造変更でもって前記可動範囲制限手段を構成することが可能になり、相互の分割枠体の吊下げ体どうしが絡むのをさらに効率的に抑止することができる。
【００１３】
本発明の第４特徴構成は、物干し器用の被干し物吊下げ部材に係り、その特徴は、
物干し枠体に形成された被掛止孔に対する挿通状態において重力任せの動きが可能な状態で物干し枠体に掛止可能な環状又は部分環状の枠体掛止部と、被干し物を吊下げ支持可能な吊下げ支持部とが備えられている物干し器用の被干し物吊下げ部材であって、
前記枠体掛止部の外面には、前記物干し枠体との掛止部位を支点とする一方向への回動を前記物干し枠体との接当により所定限度に規制可能な突片部が形成されている点にある。
【００１４】
上記構成によれば、被吊下部に対するフック部を被吊下部に吊下げた吊下げ姿勢で上方となる一方向に折畳み操作自在に枢支連結された複数の分割枠体から構成されている物干し枠体に対し所定姿勢で掛止させることによって、吊下げ姿勢で上方となる一方向に折畳んだ折畳み姿勢における高い収納性は確保しながらも、折畳み姿勢から拡張姿勢への変更操作も行い易い物干し器を効率的に構成することができる。
【発明を実施するための最良の形態】
【００１５】
図１〜２は、屋内外において洗濯物などの被干し物を干すために使用される合成樹脂製の物干し器１を示す。当該物干し器１には、矩形状の物干し枠体２が主要構成として備えられている。当該物干し枠体２は、それの枠部間に亘らせた横架部材７に、被吊下部に対するフック部材４（フック部の一例）を備える接続部材５を所定方向に沿って姿勢変更自在な状態で連結して構成されている。
【００１６】
図３に示すように、前記物干し枠体２は、後述する拡張姿勢（物干し姿勢）において上面視による輪郭形状が略長方形状となる形態で構成されている。当該物干し枠体２の枠体長辺部２Ａの各々における内側近傍位置には、タオル等の比較的幅広の洗濯物を枠体長片部２Ａに架ける時に使用する洗濯物差込空間を枠体長片部２Ａとの間に形成する仕切片部２Ｃが形成されている。なお、２ａは、枠体長片部２Ａに架けられた洗濯物を枠体長片部２Ａとで挟持するクリップ部である。
【００１７】
また、物干し枠体２の枠体短片部２Ｂ及び前記仕切片部２Ｃの内周面の所定箇所には、被干し物を脱着自在に吊下げ支持可能な複数の吊下げ体１６（被干し物取り付け部材の一例）を取り付けるための取り付け孔２ｄ（被掛止孔の一例）を有する複数の取り付け片２ｂが突出形成されている。
【００１８】
図２、図３に示すように、前記物干し枠体２は、略コの字状の一対の分割枠体３Ａ、３Ｂの開口端部どうしを一対の連結部材１０と横架部材７とで連結することにより、分割枠体３Ａ、３Ｂの各々が回動軸芯Ｘａ、Ｘｂ周りの約９０°の範囲で回動する形態で、下方側への屈曲が規制された状態で同一平面上に拡張した拡張姿勢（図２の実線表示）と、横架部材３を挟み込むように上方側に折畳まれた折畳み姿勢（図３の一点鎖線表示）とに姿勢変更自在に構成されている。
【００１９】
前記分割枠体３Ａ、３Ｂの枠体長辺部形成片部３ａの端部には、連結部材１０の端部を挿入した状態で連結部材１０に対して軸芯Ｘａ、Ｘｂ周りで回動自在に枢支連結するため連結凹部３ｄが構成されている。この連結凹部３ｄには、図４に示すように、連結部材１０の両端部に形成された被連結孔部１０ａに回動自在に軸着する連結ピン部３ｅが突出形成されている。
【００２０】
枠体長辺部形成片部３ａどうしの連結構造は、図４に示すように、連結部材１０の長手方向端面に形成された第１規制面部１０ｂと枠体長辺部形成片部３ａの連結凹部３ｄの底面３ｆとの接当により、枠体長辺部形成片部３ａが前記拡張姿勢から下方側に回動するのが規制され（図４の実線表示）、且つ、連結部材１０の上端面に形成された第２規制面部１０ｃと枠体長辺部形成片部３ａの連結凹部３ｄの底面３ｆとの接当により、枠体長辺部形成片部３ａが前記収納姿勢を構成する閉じ姿勢から上方側に回動するのが規制される（図４の点線表示）ように構成されている。
【００２１】
また、図５に示すように、分割枠体３Ａ、３Ｂの仕切片部形成片部３ｃの端部には、横架部材７の長手方向両端部に形成した被連結片部７Ｂに対して軸芯Ｘａ、Ｘｂ周りで回動自在に枢支連結するための連結部３ｇが形成されている。前記連結部３ｇには、内向きに突出する連結ピン部３ｈと、その連結ピン部３ｈの外周面に突出形成した回動範囲規制片３ｊとが備えられている。
【００２２】
前記横架部材７の被連結片部７Ｂは、図５、図１２に示すように、各仕切片部形成片部３ｃの連結ピン部３ｈが係入するための一対の被連結孔７ａを部材幅方向両外側に有する形態で、横架部材７における基部７Ａの長手方向両端部の下方部位の各々に突出形成されている。
【００２３】
また、前記被連結片部７Ｂには、分割枠体３Ａ、３Ｂの各々が拡張姿勢にあるときに各仕切片部形成片部３ｃの回動範囲規制片３ｊと接当して分割枠体３Ａ、３Ｂの下方側への回動を規制する第１受止片部７ｂ（図５（ａ）を参照）と、分割枠体３Ａ、３Ｂの各々が閉じ姿勢にあるときに回動範囲規制片３ｊと接当して分割枠体３Ａ、３Ｂの上方側への回動を規制する第２受止片部７ｃ（図５（ｂ）を参照）とが備えられている。
【００２４】
前記吊下げ体１６は、図６〜図１０に示すように、略棒状の吊下げ部材９と、洗濯はさみと呼称されるピンチ８（吊下げ支持部の一例）とから構成されている。
【００２５】
当該吊下げ部材９の一端部には、前記分割枠体３Ａ、３Ｂの取り付け片２ｂに重力任せの動きが可能な状態で脱着自在に掛止可能な略Ｃの字フック状（部分環状の一例）の枠体掛止部９ａが形成されている。また、吊下げ部材９の他端部には、ピンチ８の付勢リング８ａが掛止される環状のピンチ掛止部９ｂが形成されている。
【００２６】
つまり、前記吊下げ体１６は、前記分割枠体３Ａ、３Ｂとの掛止部位（すなわち、分割枠体３Ａ、３Ｂの取り付け片２ｂと吊下げ体１６の枠体掛止部９ａとが掛止する部位）を支点として、重力任せで上下方向に沿って回動可能な状態（図６を参照）で、且つ、重力任せで取り付け片２ｂの取り付け孔２ｄの径方向に沿って揺動可能及び摺動可能な状態（図７を参照）で取り付け片２ｂに掛止可能に構成されている。
【００２７】
そして、当該吊下げ体１６には、前記物干し枠体２の折畳み姿勢（図８の姿勢）において相互の分割枠体３Ａ、３Ｂの吊下げ体１６どうしが絡むのを抑止するように、吊下げ体１６の折畳み操作方向への可動範囲を所定範囲に制限する可動範囲制限手段の一例として、分割枠体３Ａ、３Ｂとの掛止部位を支点とする吊下げ体１６の折畳み操作方向（図６の吊下げ体１６では上方、図８における上側の分割枠体３Ａの吊下げ体１６では下方、図８における下側の分割枠体３Ｂの吊下げ体１６では上方）への回動を所定限度（本例では、分割枠体３Ａ、３Ｂの各々に対して平行な姿勢となる角度）で接当規制する接当規制部１７が一体形成されている。
【００２８】
具体的には、前記接当規制部１７を構成するのに、分割枠体３Ａ、３Ｂとの掛止部位を支点として吊下げ体１６が折畳み操作方向に所定角度（本例では、約９０度）回動した状態で前記取り付け片２ｂのフック部材４側の外面部２ｅ（取り付け孔２ｄの周縁部の一例）に接当して吊下げ体１６の更なる回動を規制する突片部９ｄが、吊下げ部材９の枠体掛止部９ａの外面に突出形成されている。
【００２９】
つまり、この物干し器１では、図７、図８に示すように、前記物干し枠体２の折畳み姿勢において上方側の分割枠体３Ａの吊下げ体１６が他方の分割枠体３Ｂの側に回動するのが分割枠体３Ａにおける取り付け片２ｂの外面部２ｅと吊下げ体１６の突片部９ｄとの接当によって所定限度で規制されるから、物干し枠体２の折畳み姿勢において相互の分割枠体３Ａ、３Ｂの吊下げ体１６どうしが近接状態で絡むこと、並びに、吊下げ体１６が分割枠体３Ａ、３Ｂ間のフック部材４に絡むことの双方を効果的に抑止することができる。
【００３０】
前記突片部９ｄは、図７に示すように、分割枠体３Ａ、３Ｂに対する掛止状態で前記取り付け片２ｂに相対向する側に幅広の扁平な接当面９ｆが形成されるように、取り付け孔２ｄの周方向に沿う辺の長さＬ２が取り付け片２ｄの径方向に沿う辺の長さＬ１よりも大なる寸法となる形態で構成されている。
【００３１】
なお、図１０に示すように、前記物干し枠体２を折畳み姿勢にした状態でも、上方側の分割枠体３Ａに掛止された吊下げ体１６が分割枠体３Ａの吊下げ体取り付け孔２ｄの径方向に沿って揺動可能及び摺動可能な状態が維持される。９ｅは、枠体掛止部９ａの先端部に突出形成された抜け止め片である。
【００３２】
ちなみに、前記横架部材７は、図１〜図３、図１１、図１２に示すように、それの基部７Ａの縦長断面形状が略薄帯状に構成されている。当該基部７Ａの長手方向中間部位の下方側には、前記接続部材５を横軸芯Ｘ周りで揺動自在に枢支連結するための取り付け部材１１を軸着する被取り付け孔７ｄが貫通形成されている。
【００３３】
この被取り付け孔７ｄの周縁部には、接続部材５を揺動案内するための環状の揺動案内凹部７Ｄが設けられている。この揺動案内凹部７Ｄには、接続部材５の揺動範囲を接当規制する第１、第２受止面部７ｅ、７ｆが備えられている。
【００３４】
また、前記基部７Ａの長手方向中間部位は、それに隣接する両脇部位よりも縦寸法の大きな断面形状で構成されている。そして、基部７Ａの長手方向中間部位の上面部には、横軸芯Ｘを中心とする弧状の膨出部７ｇが形成されている。
【００３５】
横架部材７の基部７Ａにおける接続部材５の揺動方向で間隔を空けた各所定位置には、後述する係止部材１２に対する複数の被係止凹部（被係止部の一例）が切欠き形成（一体成形の一例）されており、本例では、接続部材５を図１、図１４に示す垂直姿勢に保持するための第１被係止凹部７Ｅと、接続部材５を図１５に示す約４５度傾斜した斜め姿勢に保持するための第２係止凹部７Ｆとが形成されている。
【００３６】
前記第１、第２被係止凹部７Ｅ、７Ｆの各々は、横軸芯Ｘを中心とする弧状膨出部７ｇに切欠き形成されており、後述する接続部材５の係止部材保持孔５ｂの下端部に係止部材１２が位置するときに、係止部材１２と被係止凹部７Ｅ、７Ｆとの係止状態を現出する。なお、横架部材７の基部７Ａの下面には、前記吊下げ体１６を掛止するための複数の取り付け片７ｈが形成されている。
【００３７】
前記接続部材５の上部には、図１１、図１３に示すように、前記フック部材４の下端に形成された連結ピン部４ｃを縦軸芯（接続部材５の中心軸芯）Ｙ周りで回動自在に軸着するための被連結孔部５ａが形成されている。
【００３８】
また、接続部材５の略下半分の領域は、横架部材７の基部７Ａを挿入状態で配置するための挿入空間を対向面間に形成する一対の側片部５Ａ、５Ａから構成されている。これら一対の側片部５Ａ、５Ａの下部の各々には、挿入空間内に配置した横架部材７の基部７Ａに対し取り付け部材１１によって横軸芯Ｘ周りで揺動自在に枢支連結するための被取り付け孔５ｃが貫通形成されている。
【００３９】
前記取り付け部材１１は、図１１に示すように、接続部材５の被取り付け孔５ｃに挿入配置される円筒状部１１ａと、接続部材５の外面における被取り付け孔５ｃの周縁部に接当する形態で円筒状部１１ａの抜け落ちを抑止する一対の環状縁部１１ｂとから構成されている。当該取り付け部材１１は、横軸芯Ｘ方向から係合する二つの分割部材１１Ａ、１１Ｂの係合体から構成されている。
【００４０】
前記接続部材５の各側片部５Ａの内面における被取り付け孔５ｃの周縁部には、図１３に示すように、横架部材７の揺動案内凹部７Ｄに嵌り込む揺動案内凸部５ｅが突出形成されている。当該揺動案内凸部５ｅには、横架部材７の第１、第２受止面部７ｅ、７ｆとの接当により接続部材５の揺動範囲を規制する揺動規制片５ｆが形成されている。
【００４１】
前記接続部材５の上下中間部位（詳しくは、一対の側片部５Ａ、５Ａの上部の各々）には、係止部材１２の横移動を規制する状態で、且つ、係止部材１２の係脱操作用の縦移動を所定範囲内で許容する状態で係止部材１２を保持する縦長形状の係止部材保持孔５ｂが貫通形成されている。
【００４２】
前記係止部材１２は、前述した取り付け部材１１と同様の構成であり、図１１に示すように、係止部材保持孔５ｂに挿入配置される円筒状部１２ａと、接続部材５の外面における係止部材保持孔５ｂの周縁部に接当する形態で円筒状部１２ａの抜け落ちを抑止する一対の環状縁部１２ｂとから構成されている。当該係止部材１２は、横軸芯Ｘ方向から係合する二つの分割部材１２Ａ、１２Ｂの係合体をもって構成されている。なお、５ｄは、物干し器１を使用する時に接続部材５を掴み持つための掴持孔である。
【００４３】
つまり、この物干し器１は、接続部材５の係止部材保持孔５ｂの内部で係止部材１２を縦方向に移動することで、係止部材１２の円筒状部１２ａが横架部材７の被係止凹部７Ｅ、７Ｆに係止した係止状態を現出して所定の傾斜角度で接続部材５の姿勢を保持することができる。
【００４４】
前記フック部材４には、縦軸芯Ｙ上に位置する第１吊下フック４ａと、縦軸芯Ｙから横方向に位相ズレし、且つ、第１吊下フック４ａよりも下方に位相ズレした第２吊下フック４ｂとが備えられている。
【００４５】
前記第１吊下フック４ａは、図１に示すように、主として接続部材５を鉛直姿勢にした状態で物干し竿１３（被吊下部の一例）に吊り下げる状態で使用する時に用いられる。また、第１吊下フック４ａは、図１５に示すように、タンス等の引出し１４（被吊下部の一例）の上部に引っ掛ける状態で使用する時にも用いられる。
【００４６】
前記第２吊下フック４ｂは、図１４に示すように、接続部材５を鉛直姿勢にした状態で内壁面Ｗよりも室内側に突出配置されたタオルバー１５（被吊下部の一例）などに吊り下げる状態で使用する時に用いられる。なお、４ｄは、物干し器１を使用する時にフック部材４を掴み持つための掴持孔である。
【００４７】
［その他の実施形態］
（１）前述の実施形態では、姿勢変更自在な接続部材５を介してフック部材４が物干し枠体２に備えられている場合を例に示したが、姿勢変更不能な一体物の吊下げ部材やチェーン等の吊下げ部材を介してフック部材４が物干し枠体２に備えられていてもよい。
【００４８】
（２）前述の実施形態では、一対の吊下フック４ａ、４ｂがフック部材４に備えられている場合を例に示したが、１つ又は３つ以上の吊下フックがフック部材４に備えられていてもよい。
【００４９】
（３）前述の実施形態では、フック部４ａ、４ｂを被吊下げ部に吊下げた吊下げ姿勢で上方となる一対の分割枠体３Ａ、３Ｂから物干し枠体２が構成されている場合を例に示したが、吊下げ姿勢で上方となる３つ以上の分割枠体から物干し枠体２が構成されていてもよい。
【００５０】
（４）前述の実施形態では、重力任せの複数種の動き（回動と揺動と摺動）が可能な状態で吊下げ体１６が分割枠体２に掛止されている場合を例に示したが、重力任せの一種の動きが可能な状態で吊下げ体１６が分割枠体２に掛止されていてもよい。
【００５１】
（５）前述の実施形態では、可動範囲制限手段を構成するのに、吊下げ体１６には、分割枠体３Ａ、３Ｂとの掛止部位を支点とする吊下げ体１６の折畳み操作方向への回動を所定限度で接当規制する接当規制部１７が形成されている場合を例に示したが、例えば、吊下げ体１６の折畳み操作方向への動きを制限するように物干し枠体２の折畳み操作方向側面を被覆するネットや蓋体等の被覆部材から構成されていたりしてもよく、要するに、物干し枠体２の折畳み姿勢において相互の分割枠体３Ａ，３Ｂの吊下げ体どうしが絡むのを抑止するように吊下げ体１６の折畳み操作方向への可動範囲を所定範囲に制限する構成であれば、如何なる構成であってもよい。
【００５２】
（６）前述の実施形態では、接当規制部１７が吊下げ体１６に形成されている場合を例に示したが、接当規制部１７が分割枠体３Ａ、３Ｂに形成されていてもよい。この場合、例えば、図１６に示すように、前述の実施形態で示した基本構成において吊下げ体１６に接当規制部１７を形成（具体的には、一体形成）するのに代え、分割枠体３Ａ、３Ｂの一部又は全部に片部２ｆ（接当規制部１７の一例）を形成（具体的には、一体形成）すればよい。
【００５３】
（７）前述の実施形態では、分割枠体３Ａ，３Ｂに掛止する掛止部９ａが部分環状に形成されている場合を例に示したが、掛止部９ａが環状に形成されていてもよい。
【００５４】
（８）前述の実施形態では、接当規制部１７が吊下げ体１６と分割枠体３Ａ、３Ｂの少なくとも一方に突出形成した突片部から構成されている場合を例に示したが、例えば、吊下げ体１６と分割枠体３Ａ、３Ｂの少なくとも一方に切り欠き形成した段部等から構成されていてもよい。
【００５５】
（９）前述の実施形態では、物干し器が合成樹脂から構成されている場合を例に示したが、金属や天然樹脂から構成されていてもよく、或いは、合成樹脂、金属、天然樹脂の２種以上から構成されていてもよい。
【図面の簡単な説明】
【００５６】
【図１】物干し器の側面断面図
【図２】物干し器の正面図
【図３】物干し枠体の説明斜視図
【図４】枠体長辺部の連結機構を示す説明断面図
【図５】仕切片部の連結機構を示す説明断面図（図３のＢ−Ｂ説明断面図）
【図６】拡張姿勢における要部の説明断面図
【図７】拡張姿勢における要部の説明上面図
【図８】折畳み姿勢における物干し器の正面図
【図９】折畳み姿勢における要部の説明断面図
【図１０】折り畳み姿勢における要部の説明上面図
【図１１】図１のＡ−Ａ説明断面図
【図１２】横架部材の側面図
【図１３】接続部材の説明断面図（図１１のＣ−Ｃ説明断面図）
【図１４】本発明に係る物干し器の使用状態を示す側面図
【図１５】本発明に係る物干し器の使用状態を示す側面図
【図１６】その他の実施形態における要部の説明断面図
【符号の説明】
【００５７】
１            物干し器
２            物干し枠体
２ｄ          被掛止孔
３Ａ、３Ｂ    分割枠体
４            フック部
８            吊下げ支持部
９ａ          枠体掛止部
９ｄ          突片部
１６          吊下げ体、被干し物吊下げ部材
１７          可動範囲制限手段、接当規制部
【図１】
2010035868.tif 000003
【図２】
2010035868.tif 000004
【図３】
2010035868.tif 000005
【図４】
2010035868.tif 000006
【図５】
2010035868.tif 000007
【図６】
2010035868.tif 000008
【図７】
2010035868.tif 000009
【図８】
2010035868.tif 000010
【図９】
2010035868.tif 000011
【図１０】
2010035868.tif 000012
【図１１】
2010035868.tif 000013
【図１２】
2010035868.tif 000014
【図１３】
2010035868.tif 000015
【図１４】
2010035868.tif 000016
【図１５】
2010035868.tif 000017
【図１６】
2010035868.tif 000018